(57)【要約】【課題】従来技術よりもポテンシャルの高い紙容器を提供する。【解決手段】紙材を打ち抜いて形成される展開状態の台紙を角筒状に折り曲げて形成される側面部２００と、この側面部の長手方向の一側を折り畳んで接着・形成される底面部３００と、他側に設けられていて密封されている容器トップ部１００とを備え、容器トップ部は、側面部の対向する２つの面の上部をそれぞれ斜め折線に沿って内方に折り込んで形成した折り込み部１２０，１３０と、残りの側面部の対向する２つの面の上部を内側に折り曲げることにより形成される切妻屋根部１４０，１５０と、を有し、折り込み部の少なくとも１部が、紙容器の内部において切妻屋根部と接着し、接着面Ａを形成していることを特徴とする紙容器。【選択図】図２
2010241501.tif 000002
【特許請求の範囲】
【請求項１】
紙材を打ち抜いて形成される展開状態の台紙を筒状に折り曲げて形成される側面部と、
この側面部の長手方向の一側を折り畳んで接着・形成される底面部と、
他側に設けられていて密封されている容器トップ部と
を備えてなる紙容器において、
前記容器トップ部は、前記側面部の対向する２つの面の上部をそれぞれ斜め折線に沿って内方に折り込んで形成した折り込み部と、残りの側面部の対向する２つの面の上部を内側に折り曲げることにより形成される切妻屋根部と、を有し、
前記折り込み部の少なくとも１部が、前記紙容器の内部において前記切妻屋根部と接着し、接着面を形成していることを特徴とする紙容器。
【請求項２】
前記接着面に少なくとも１つの貫通孔部および／または易貫通個所が設けられていることを特徴とする請求項１に記載の紙容器。
【請求項３】
前記接着面に少なくとも１箇所の切欠部および／または切り込み部が設けられていることを特徴とする請求項１に記載の紙容器。
【発明の詳細な説明】
【技術分野】
【０００１】  本発明は、紙容器に関する。
【背景技術】
【０００２】  紙容器は一般的に軽量で手軽ゆえに、様々な用途に用いられている。とりわけ耐水性の向上により紙容器は飲料用容器としてペットボルト並んで広く普及するに至った。近年姿を消した概ね三角錐の形状を有する、いわゆるテトラパックに始まり、現在の主流は概ね直方体の形状を有する飲料用紙容器である。【０００３】  図１は従来の紙容器の例を説明するための斜視図である。
図１（ａ）に示す紙容器は、紙材を打ち抜いて形成される展開状態の台紙を角筒状に折り曲げて形成される側面部２０と、この側面部の長手方向の一側を折り畳んで接着・形成される底面部３０と、他側に設けられて内容物が内部に充填されると共に、溶着されて内部が密封される容器トップ部１０とを備えてなる。
また、トップ部１０は屹立部１１、折り込み部１２、１３および切妻屋根部１４、１５よりなる。容器内部の液体を注ぐ際には、屹立部１１の注ぎ口側半分Ｌの接着を剥がし、折り込み部１３を外側方向Ａに引き出すことで注ぎ口を形成する。その際に切妻屋根部１４，１５は、折り目１４１，１５１に沿って折り曲げられる。【０００４】  図１（ｂ）に示す紙容器は、図１（ａ）に示す紙容器とほぼ同様の構成であり、容器トップ部１０’、側面部２０’ならびに底面部３０’を備えてなる。また、容器トップ部１０’は屹立部１１’、折り込み部１２’、１３’および切妻屋根部１４’、１５’よりなる。切妻屋根部１４’の中心部付近には口栓１４１’が設置されている。容器内部の液体を注ぐ際には、口栓１４１’を開放する。【０００５】  飲料用紙容器のポテンシャルを向上させる従来技術としては、例えば下記特許文献１〜４が挙げられる。
【先行技術文献】
【特許文献】
【０００６】
【特許文献１】特開２００６−５２００５号公報
【特許文献２】特開２００５−８８９４０号公報
【特許文献３】実開昭５６−１４１１１２６号公報
【特許文献４】特許第４０５４４２９号公報
【発明の概要】
【発明が解決しようとする課題】
【０００７】  本発明の目的は、様々な機能を付与することができ、そのポテンシャルが大幅に向上した紙容器を提供することにある。
【課題を解決するための手段】
【０００８】  本発明は、以下のとおりである。
（１）紙材を打ち抜いて形成される展開状態の台紙を筒状に折り曲げて形成される側面部と、
この側面部の長手方向の一側を折り畳んで接着・形成される底面部と、
他側に設けられていて密封されている容器トップ部と
を備えてなる紙容器において、
前記容器トップ部は、前記側面部の対向する２つの面の上部をそれぞれ斜め折線に沿って内方に折り込んで形成した折り込み部と、残りの側面部の対向する２つの面の上部を内側に折り曲げることにより形成される切妻屋根部と、を有し、
前記折り込み部の少なくとも１部が、前記紙容器の内部において前記切妻屋根部と接着し、接着面を形成していることを特徴とする紙容器。
（２）前記接着面に少なくとも１つの貫通孔部および／または易貫通個所が設けられていることを特徴とする前記（１）に記載の紙容器。
（３）前記接着面に少なくとも１箇所の切欠部および／または切り込み部が設けられていることを特徴とする前記（１）に記載の紙容器。
【発明の効果】
【０００９】  本発明によれば、従来技術用利もポテンシャルの高い紙容器を提供できる。
【図面の簡単な説明】
【００１０】
【図１】従来の紙容器の例を説明するための斜視図である。
【図２】本発明の紙容器の例を説明するための斜視図である。
【図３】図２に示した形態の紙容器において、接着面Ａに貫通孔部を設けた場合の斜視図である。
【図４】図２に示した形態の紙容器において、接着面Ａに切欠部を設けた場合の斜視図である。
【図５】図２に示した形態の紙容器において、接着面Ａに切り込み部を形成した場合の斜視図である。
【図６】図５（ｂ）に示した切り込み部に右手の指を差し入れて紙容器を掴んでいる様子を示す図である。
【図７】図２に示した形態の紙容器において、接着面Ａに貫通孔部を形成した場合の斜視図である。
【図８】図７（ｂ）に示した大きな孔部を設置した容器を右手で運搬している様子を示す図である。
【図９】（ａ）は、本発明の紙容器を形成する台紙の展開図の一例であり、（ｂ）は、形成された紙容器の上部斜視図である。
【図１０】本発明の紙容器を形成する台紙の展開図の別の例である。
【発明を実施するための形態】
【００１１】  以下、本発明を図面を参照しながら更に詳しく説明する。
【００１２】  図２は本発明の紙容器の例を説明するための斜視図である。
図２（ａ）の形態において、本発明の紙容器は、紙材を打ち抜いて形成される展開状態の台紙を筒状、例えば角筒状に折り曲げて形成される側面部２００と、この側面部の長手方向の一側を折り畳んで溶着・形成される底面部３００と、他側に設けられて内容物が内部に充填されると共に、溶着されて内部が密封される容器トップ部１００とを備えてなる。本発明において、容器トップ部１００は、側面部２００の対向する２つの面の上部をそれぞれ斜め折線に沿って内方に折り込んで形成した折り込み部１２０，１３０と、残りの側面部の対向する２つの面の上部を内側に折り曲げることにより形成される切妻屋根部１４０，１５０と、を有し、折り込み部１２０，１３０の少なくとも１部が、紙容器の内部において切妻屋根部１４０，１５０と接着し、斜線で示される接着面Ａを形成していることを特徴とする。なお符号１１０は、下記で説明する折り畳みリブ１Ｔ〜４Ｔをヒートシールして形成した屹立部である。
【００１３】  図９（ａ）は、本発明の紙容器を形成する台紙の展開図の一例である。図９（ａ）に示すように、紙容器の側壁部２０を形成する部分は側壁パネル１〜４であり、側壁パネル１〜４と糊代５が折線ａ〜ｄを介して連接し、その上部に切妻屋根部を形成する２Ｇ，３Ｇと折り込み部を形成する１Ｇ、４Ｇが折線ｆを介して連接され、さらに折線ｊを介して、屹立部を形成する折り畳みリブ１Ｔ〜４Ｔが設けられている。折り畳みリブ１Ｔ〜４Ｔは、ヒートシールにより接着されることになる。折り畳みリブ１Ｔ，４Ｔとそれを包み込んで合掌シールされる外側リブ２Ｔ，３Ｔが設けられている。本発明における折り込み部は、１Ｇ，４Ｇが斜めの折線ｇ，ｉによって内方に折り込まれることにより形成される。本発明では、上記のように、斜線で示される部分Ａが接着され、接着面Ａを形成することに特徴を有する。
図９（ｂ）は、図９（ａ）に示す台紙を常法により折込み、かつ必要部分を接着させた紙容器の上部斜視図であり、記載された符号は図９（ａ）のものとそれぞれ対応している。
【００１４】  接着面Ａにおける接着剤としてはとくに制限されず、当業界で公知の各種ヒートシール用樹脂を使用できる。また、接着剤の塗布方法についてもとくに制限されず、当業界で公知の各種コーティング方法を採用することができる。
【００１５】  なお、図２（ａ）の形態においては、注ぎ口を形成する都合上、折り込み部１２０に接着面Ａを形成し、折り込み部１３０には接着面は形成していない。
【００１６】  図２（ｂ）は、本発明の紙容器の別の例を説明するための斜視図である。この形態は、図２（ａ）に示す紙容器とほぼ同様の構成であり、容器トップ部１００’、側面部２００’ならびに底面部３００’を備えてなる。また、容器トップ部１００’は屹立部１１０’、折り込み部１２０’、１３０’および切妻屋根部１４０’、１５０’よりなる。切妻屋根部１４０’の中心部付近には口栓１４１’が設置されている。容器内部の液体を注ぐ際には、口栓１４１’を開放する。図２（ｂ）の形態においては、口栓１４１’が設けられているため、紙容器の一部を剥がして注口を形成する必要がないため、接着面Ａが、折り込み部１２０’、１３０’の両方に形成されている。
なお、図２（ｂ）における形態の紙容器を形成する台紙の展開図は、図１０のとおりであり、接着面Ａが、図９（ａ）よりも増加している。
【００１７】  ここで、接着面Ａは、折り込み部１２０，１３０（１２０’、１３０’）の少なくとも１部が、紙容器の内部において切妻屋根部１４０，１５０（１４０’、１５０’）と接着して形成されているため、接着面Ａには、所望の形状（例えば孔部や切欠部）を形成することができる。すなわち、接着面Ａに如何なる加工を施したとしても、紙容器内部の収納物が紙容器外部に脱出してしまうことはない。
【００１８】  図３（ａ）ならびに（ｂ）は、それぞれ、図２（ａ）ならびに（ｂ）に示した形態の紙容器において、接着面Ａに貫通孔部を設けた場合の斜視図である。図３（ａ）において切妻屋根部１４０，１５０にそれぞれ貫通孔部３０ならびに３２を設置している。また、図３（ｂ）において切妻屋根部１４０’，１５０’にそれぞれ貫通孔部３０’ならびに３２’を設置している。
【００１９】  当該部分に貫通孔部を設置することによる効果は、例えば使用後にリサイクルに出す目的で容器を洗浄後に展開し、貫通孔部をフック等に引っ掛けて乾燥させる事が出来る。また、製品の販売時においては貫通孔部に景品やオマケ等を括り付ける事が出来る。なお、図示していないが、貫通孔部に代わりに易貫通箇所を有することでも、同様の効果が期待できる。易貫通箇所とは、その場所に突起状物等をあてがうと容易にこれが貫通できる箇所であり、例えばその場所に十字に切れ込みを入れること等により形成することができる。これとは別に、例えば、飲料用紙パックのストロー差込口のように、切り込みに沿って表面の厚い紙質をめくり上げ、脆弱な紙質を露出させる方法等もある。なお、貫通孔部と易貫通箇所とを共存させてもよい。
【００２０】  図４（ａ）ならびに（ｂ）は、それぞれ、図２（ａ）ならびに（ｂ）に示した形態の紙容器において、接着面Ａに切欠部を設けた場合の斜視図である。
図４（ａ）において切妻屋根部１４０の接着面Ａの端部（切妻屋根部１４０の斜面の端部）に切欠部４０を設置している。また、図４（ｂ）において切妻屋根部１４０’の接着面Ａの両端部に切欠部４０’，４２’を設置している。
【００２１】  切欠部４０，４０’，４２’の効果は、例えば切り込み形状を視覚障害を有する消費者への製品情報伝達手段に利用できることである。具体的には、内容物、メーカー名、内容量および有効期限等の情報を切欠部４０，４０’，４２’の形状により伝えることが挙げられる。なお、従来技術では図１（ａ）ならびに（ｂ）に示した形態の紙容器の屹立部１１ならびに１１’の上端部に切込みを入れる方法が提案されている（例えば特許第４０５４４２９号公報参照）。この方法によると、視覚障害を有する消費者は切り込みの形状を確認するために上端部に触れ、目的とする商品であることを確認した後に改めて商品をつかみなおし買い物籠等に入れることになる。本発明による場合では、視覚障害を有する消費者は図４（ａ）ならびに（ｂ）の切妻屋根部１４０，１４０’の端部の切欠部４０，４０’，４２’を掴みながらなぞることになる。従って、商品の確認が出来ると同時に、掴むことが出来るので、前述の従来技術と比べ、商品選沢のプロセスが一つ省略できる。
【００２２】  図５（ａ）ならびに（ｂ）は、それぞれ、図２（ａ）ならびに（ｂ）に示した形態の紙容器において、接着面Ａに切り込み部を形成した場合の斜視図である。図５（ａ）において屹立部１１０、切妻屋根部１４０，１５０の交線５１１を中心に、注ぎ口の反対側５１１１より注ぎ口側５１１２に向かい、屹立部１１０、切妻屋根部１４０，１５０を含めた大きな切り込み部５０を形成している。また、図５（ｂ）において屹立部１１０’、切妻屋根部１４０’，１５０’の交線５１１’を中心に、交線の両側５１１’および５１１２’より交線の中心付近５１１３’に向かい、屹立部１１０’、切妻屋根部１４０’，１５０’を含めた大きな切り込み部５０’、５２’を形成している。
【００２３】  当該部分に大きな切り込み部を入れることによる効果は、切り込み部に指を入れることにより、容器が掴みやすくなることが挙げられる。図６は図５（ｂ）に示した切り込み部５０’、５２’に右手の指を差し入れて紙容器を掴んでいる様子を示したものである。これにより、この形態を有する紙容器が隙間無く陳列されている場合でも、容易に奥のものを取り出すことが可能となる。
【００２４】  図７（ａ）ならびに（ｂ）は、それぞれ、図２（ａ）ならびに（ｂ）に示した形態の紙容器において、接着面Ａに孔部を形成した場合の斜視図である。図７（ａ）において屹立部１１０、切妻屋根部１４０，１５０の交線７１１の中心部付近７１１１と注ぎ口の反対側７１１２の概ね中間地点を中心に、屹立部１１０、切妻屋根部１４０，１５０を同程度に穿つ大きな孔部７０を形成している。また、図７（ｂ）において屹立部１１０’、切妻屋根部１４０’，１５０’の交線７１１’の中心部付近７１１１’と交線７１１’の両端部７１１２’および７１１３’の概ね中間地点を中心に、屹立部１１０’、切妻屋根部１４０’，１５０’を同程度に穿つ大きな孔部７０’、７２’を形成している。
【００２５】  当該部分に大きな孔部を設置することにより期待できる効果は、該孔部に指を入れることにより、容器を運搬しやすくなることが考えられる。図８は図７（ｂ）に示した大きな孔部７０’、７２’を設置した容器を右手で運搬している様子を示したものである。これにより、この形態を有する紙容器が隙間無く陳列されている場合でも、容易に奥のものを取り出し、運搬することが可能となる。
【００２６】  なお、本発明は上記実施の形態に制限されない。例えば、接着面Ａは、紙容器内部の収納物が脱出できない程度であればよく、その一部を点接着にしてもよい。また、貫通孔部、切欠部、切り込み部、孔部の形状や数も、本発明の効果を損ねない範囲で適宜変更できる。
【符号の説明】
【００２７】  １００  容器トップ部
２００  側面部
３００  底面部
１１０  屹立部
１２０，１３０  折り込み部
１４０，１４０’１５０，１５０’  切妻屋根部
Ａ  接着面
３０，３０’，３２，３２’  貫通孔部
４０，４０’，４２’  切欠部
５０，５０’，５２’  切り込み部
７０，７０’，７２’  孔部
【図１】
2010241501.tif 000003
【図２】
2010241501.tif 000004
【図３】
2010241501.tif 000005
【図４】
2010241501.tif 000006
【図５】
2010241501.tif 000007
【図６】
2010241501.tif 000008
【図７】
2010241501.tif 000009
【図８】
2010241501.tif 000010
【図９】
2010241501.tif 000011
【図１０】
2010241501.tif 000012